(57)【要約】【課題】マイコンメータの遮断機能が作動する閾値よりも低い閾値の振動でバーナへの燃料ガスの供給が停止される加熱調理器で、マイコンメータの遮断機能が作動しているかどうかを適切に使用者に知らせる。【解決手段】バーナ１２ａと、バーナ１２ａへの燃料ガスの供給の遮断を行う遮断手段４０と、振動検出手段６０と、バーナ１２ａの燃焼状態を検出する燃焼検出手段１７ａと、報知手段７０，７１と、振動検出手段６０により第１閾値以上の振動が検出されると、遮断手段４０によりバーナ１２ａへの燃料ガスの供給を遮断する遮断制御部と、振動検出手段６０により第１閾値よりも高い第２閾値以上の振動が検出されると、高振動履歴を「有」に設定する高振動履歴有設定部とを備え、バーナ１２ａが着火してから一定時間が経過するまでにバーナ１２ａが失火し、且つ高振動履歴が「有」に設定されている場合、報知手段７０，７１から遮断確認情報を報知させる。【選択図】図１
2019109027.tif 000002
【特許請求の範囲】
【請求項１】
所定の閾値以上の振動を検出するとガス供給路を遮断する機能を備えたマイコンメータの下流側に接続される加熱調理器であって、
ガス供給路から供給される燃料ガスを燃焼させるバーナと、
振動を検出する振動検出手段と、
バーナの燃焼状態を検出する燃焼検出手段と、
バーナへの燃料ガスの供給を遮断する遮断手段と、
報知手段と、
振動検出手段により第１閾値以上の振動が検出されると、遮断手段によりバーナへの燃料ガスの供給を遮断する遮断制御部と、
振動検出手段により第１閾値よりも高い第２閾値以上の振動が検出されると、高振動履歴を「有」に設定する高振動履歴有設定部と、
燃焼検出手段によりバーナの着火が検出されてから所定の失火判定時間が経過するまでにバーナの失火が検出される失火不良が生じるかどうかを判定する不良判定部と、
失火不良が生じており、且つ高振動履歴が「有」に設定されている場合、報知手段から遮断確認情報を報知させる遮断判定部と、を有する加熱調理器。
【請求項２】
請求項１に記載の加熱調理器において、
不良判定部は、バーナの点火操作が行われてから所定の着火判定時間が経過するまでに燃焼検出手段によりバーナの着火が検出されない着火不良が生じるかどうかを判定し、
遮断判定部は、着火不良が生じており、且つ高振動履歴が「有」に設定されている場合、報知手段から遮断確認情報を報知させる加熱調理器。
【請求項３】
請求項１または２に記載の加熱調理器は、さらに、
失火不良が生じることなく失火判定時間を経過した後、または報知手段から遮断確認情報を報知させた後、高振動履歴を「無」に設定する高振動履歴無設定部を有する加熱調理器。
【請求項４】
請求項１〜３のいずれか１項に記載の加熱調理器において、
不良判定部は、バーナの点火操作が行われると、燃料ガスの消費量に基づき、失火判定時間を変更する加熱調理器。
【発明の詳細な説明】
【技術分野】
【０００１】
本発明は、ガス供給路の遮断機能を備えたマイコンメータの下流側に接続される加熱調理器に関する。
【背景技術】
【０００２】
従来、加速度センサなどの振動検出手段を備え、所定の閾値以上の振動が検出されると、バーナへの燃料ガスの供給を遮断する加熱調理器が知られている。また、加熱調理器に接続されるガス供給管には、一般に、所定の閾値以上の振動が検出されると、ガス供給管からの燃料ガスの供給を遮断する機能を備えたマイコンメータ（ガスメータ）が配設されている。これらによって、地震が生じた場合でも高い安全性が確保されている。
【０００３】
屋内に設置される加熱調理器は、近くに可燃物があることが多いため、地震が発生した場合、屋外に配設されることが多いマイコンメータよりも早く燃料ガスの供給を遮断させることが好ましい。このため、加熱調理器の振動検出手段が検出する振動の閾値を、マイコンメータで遮断機能が作動するそれよりも低く設定し、マイコンメータの遮断機能が作動するよりも先に加熱調理器のバーナの燃焼を停止させることが提案されている（特許文献１）。
【０００４】
しかしながら、マイコンメータから加熱調理器までのガス供給管は一定の長さを有するため、マイコンメータで遮断機能が作動する前に加熱調理器で燃料ガスの供給が遮断されると、マイコンメータと加熱調理器との間のガス供給管内に一定量の燃料ガスが残留する。それゆえ、マイコンメータの遮断機能が作動する大きさの振動を有する地震がおさまった後、次回の点火操作が行われると、ガス供給管内に残留する燃料ガスが消費されるまでの一定時間はバーナが燃焼し、その後、バーナが失火する。通常、マイコンメータは加熱調理器から離れた場所に設置されているため、使用者はマイコンメータの遮断機能が作動したことを認識し難い。その結果、少なくとも一定時間のバーナの燃焼を認識した使用者は、ガス供給管から加熱調理器へ燃料ガスは供給されていると判断して、再点火操作を繰り返し、加熱調理器が不全に陥ったと誤認する虞がある。
【０００５】
マイコンメータの遮断機能が作動した場合、屋内のリモコン装置から遮断情報や復帰操作情報を報知することも提案されている（特許文献２）。
【０００６】
しかしながら、リモコン装置を別に設けたり、マイコンメータとリモコン装置とを接続したりしなければならず、高コストになるという問題や施工工事が複雑化するという問題がある。また、特許文献１のようにマイコンメータの遮断機能の作動よりも先に加熱調理器への燃料ガスの供給を遮断させる場合、遮断機能が作動していても一定時間はバーナの燃焼が継続するため、遮断機能が作動しているかどうか適切な判断をすることが難しい。さらに、不在時に遮断機能が作動すると、使用者は遮断機能の作動を知らない場合が多いから、通常の失火と遮断機能による失火との判別が難しく、使用者の使い勝手が悪いという問題がある。
【先行技術文献】
【特許文献】
【０００７】
【特許文献１】特開２００５−３０００５５号公報
【特許文献２】特開２０１３−５０２４７号公報
【発明の概要】
【発明が解決しようとする課題】
【０００８】
本発明は上記課題を解決するものであり、本発明の目的は、所定の閾値以上の振動が発生するとガス供給路を遮断する機能を備えたマイコンメータの下流側に接続され、マイコンメータの遮断機能が作動する閾値よりも低い閾値の振動でバーナへの燃料ガスの供給が停止される加熱調理器で、マイコンメータの遮断機能が作動しているかどうかを適切に使用者に知らせることにある。
【課題を解決するための手段】
【０００９】
本発明によれば、
所定の閾値以上の振動を検出するとガス供給路を遮断する機能を備えたマイコンメータの下流側に接続される加熱調理器であって、
ガス供給路から供給される燃料ガスを燃焼させるバーナと、
振動を検出する振動検出手段と、
バーナの燃焼状態を検出する燃焼検出手段と、
バーナへの燃料ガスの供給を遮断する遮断手段と、
報知手段と、
振動検出手段により第１閾値以上の振動が検出されると、遮断手段によりバーナへの燃料ガスの供給を遮断する遮断制御部と、
振動検出手段により第１閾値よりも高い第２閾値以上の振動が検出されると、高振動履歴を「有」に設定する高振動履歴有設定部と、
燃焼検出手段によりバーナの着火が検出されてから所定の失火判定時間が経過するまでにバーナの失火が検出される失火不良が生じるかどうかを判定する不良判定部と、
失火不良が生じており、且つ高振動履歴が「有」に設定されている場合、報知手段から遮断確認情報を報知させる遮断判定部と、を有する加熱調理器が提供される。
【００１０】
上記加熱調理器によれば、バーナが着火してから失火判定時間が経過するまでのバーナの失火の判定と、加熱調理器への燃料ガスの供給を遮断する第１閾値よりも高い第２閾値以上の振動が発生したかどうかの高振動履歴の有無の判定との両判定を行うから、マイコンメータの遮断機能が作動した状態で、マイコンメータと加熱調理器との間のガス供給路に残留していた燃料ガスの消費によって一定時間のみバーナが燃焼したかどうかを判定することができる。これにより、マイコンメータの遮断機能が作動しているかどうかを加熱調理器から適切に使用者に知らせることができる。
【００１１】
好ましくは、上記加熱調理器において、
不良判定部は、バーナの点火操作が行われてから所定の着火判定時間が経過するまでに燃焼検出手段によりバーナの着火が検出されない着火不良が生じるかどうかを判定し、
遮断判定部は、着火不良が生じており、且つ高振動履歴が「有」に設定されている場合、報知手段から遮断確認情報を報知させる。
【００１２】
上記失火不良が生じたときの遮断確認情報の報知に使用者が気づかないと、使用者は再点火操作を行う場合がある。この再点火操作時には、ガス供給路内に残留する燃料ガスは先のバーナの燃焼によって消費されているから、バーナが着火しない着火不良が生じる可能性が高い。そのため、バーナの着火から失火判定時間が経過するまでのバーナの失火のみに基づきマイコンメータの遮断機能の作動を判定すると、再点火操作における通常の着火不良とマイコンメータの遮断機能による着火不良との判別ができないという問題がある。
しかしながら、上記加熱調理器によれば、バーナの点火時に着火不良が生じた場合でも、高振動履歴の有無を確認するから、再点火操作が行われるときにもマイコンメータの遮断機能が作動しているかどうかを適切に使用者に知らせることができる。
【００１３】
好ましくは、上記加熱調理器は、さらに、
失火不良が生じることなく失火判定時間を経過した後、または報知手段から遮断確認情報を報知させた後、高振動履歴を「無」に設定する高振動履歴無設定部を有する。
【００１４】
例えば、不在時に閾値以上の振動が生じてマイコンメータの遮断機能が作動した場合、その後の点火操作で加熱調理器から遮断確認情報が報知されても、不慣れな使用者は報知に気づかない虞がある。そのため、遮断確認情報の報知後に使用者がマイコンメータの解除操作を行ったかどうかを加熱調理器で判定できない場合、遮断確認情報が報知された後、一律に高振動履歴を「無」に設定すると、次回の点火操作が行われたときにマイコンメータの遮断機能の作動に起因して着火不良や失火不良（以下、これら両方の不良を総称する場合、「着火不良等」という）が生じても、不良の原因を報知することができないという問題がある。
しかしながら、上記加熱調理器によれば、遮断確認情報が報知された場合でも、失火判定時間を経過するまで点火状態が維持されなければ高振動履歴は「無」に設定されないから、マイコンメータの復帰操作が行われない限り、遮断確認情報を報知させることができる。
【００１５】
一方、一定以上の震度の地震があると、マイコンメータの遮断機能が作動することを知っている使用者であれば、遮断確認情報の認識に関わらず自発的にマイコンメータの遮断機能の解除操作を実行する場合がある。このような場合、燃料ガスの供給の遮断による着火不良等は生じないが、バーナヘッドのずれや燃焼検出手段の検出不良などに起因した通常の着火不良等は生じうる。そのため、高振動履歴が「無」に設定されていないと、通常の着火不良等にも関わらず、遮断確認情報が報知されてしまい、マイコンメータの解除操作を行った使用者に違和感を与える場合がある。
しかしながら、上記加熱調理器によれば、遮断確認情報を報知させた後、高振動履歴が「無」に設定されるから、次回の点火操作が行われる前にマイコンメータの復帰操作が行われ、通常の着火不良等が生じた場合に、誤った遮断確認情報の報知を防止できる。
【００１６】
好ましくは、上記加熱調理器において、
不良判定部は、バーナの点火操作が行われると、燃料ガスの消費量に基づき、失火判定時間を変更する。
【００１７】
点火されるバーナ数や着火後のバーナの加熱量などの使用状況は変更されることが多いから、ガス供給路に残留する燃料ガスの消費時間は使用状況に応じて異なってくる。そのため、加熱調理器全体での燃料ガスの消費量が多く、短時間内にバーナが失火すると、失火から一定時間が経過した後、遮断確認情報が報知される場合がある。
しかしながら、上記加熱調理器によれば、燃料ガスの消費量に基づき失火判定時間が変更されるから、適切なタイミングでマイコンメータの遮断機能が作動しているかどうかを使用者に知らせることができる。
【発明の効果】
【００１８】
以上のように、本発明によれば、マイコンメータの遮断機能が作動するよりも低い振動でバーナへの燃料ガスの供給を停止させる加熱調理器でも、リモコン装置の設置やマイコンメータとの接続を行うことなく、マイコンメータの遮断機能が作動しているかどうかを適切に使用者に知らせることができる。従って、本発明によれば、安全性に優れるだけでなく、使用者の使い勝手に優れる加熱調理器を低コストで提供することができる。
【図面の簡単な説明】
【００１９】
【図１】図１は、本発明の実施の形態に係る加熱調理器の設置状態を示すガス回路図である。
【図２】図２は、本発明の実施の形態に係る加熱調理器における制御動作の一例を示すフローチャートの一部である。
【図３】図３は、本発明の実施の形態に係る加熱調理器における制御動作の一例を示すフローチャートの一部である。
【発明を実施するための形態】
【００２０】
図１は、本発明の実施の形態に係る加熱調理器をガスコンロに適用した場合の設置状態を示すガス回路図である。ガスコンロ１は、例えば、屋外から屋内に延設されたガス供給管Ｌ２に接続されており、ガス供給管Ｌ２は、上流側に配設されたマイコンメータ１００を介して外部のガス配管Ｌ１と接続されている。従って、燃料ガスは、外部のガス配管Ｌ１からマイコンメータ１００を介してガス供給管Ｌ２を通り、ガスコンロ１に供給される。
【００２１】
マイコンメータ１００は、振動を検出する感震器１０１と、感震器１０１で所定の閾値以上（例えば、震度５以上）の振動が検出されると、ガス配管Ｌ１からガス供給管Ｌ２への燃料ガスの供給を遮断する遮断弁１０２とを備えている。また、マイコンメータ１００の外装ケースには、遮断機能が作動すると点滅する表示ランプ１０３と、遮断機能を解除する解除スイッチ１０４とが設けられている。
【００２２】
ガスコンロ１は、図示しない本体ケース内に、複数のコンロバーナ１２ａ，１２ｂと、上下のグリルバーナ２２ａ，２２ｂ（以下、これらを総称する場合、「バーナ１２ａ等」という）と、ガスコンロ１全体の運転を制御するコントロールユニットＣとを備える。コンロバーナ１２ａ，１２ｂ及びグリルバーナ２２ａ，２２ｂにはそれぞれ、コンロ本体内に配設されたメインガス管Ｌ３から分岐する分岐管Ｌ４が接続されている。
【００２３】
メインガス管Ｌ３から分岐管Ｌ４への分岐箇所よりも上流側には、ガス供給管Ｌ２と接続される元電磁弁４０が配設されている。各分岐管Ｌ４には、上流側から順に、各分岐管Ｌ４を開閉する開閉電磁弁４０ａ，４０ｂ，４１と、各分岐管Ｌ４を流通する燃料ガスの供給量を調節する流量調節弁４２ａ，４２ｂ，４４ａ，４４ｂとが介設されている。
【００２４】
コンロバーナ１２ａ，１２ｂ及びグリルバーナ２２ａ，２２ｂの炎孔近傍には、点火電極１６ａ，１６ｂ，３１ａ，３１ｂと、燃焼状態を検出するための熱電対（燃焼検出手段）１７ａ，１７ｂ，３３ａ，３３ｂとが設けられている。点火電極１６ａ，１６ｂ，３１ａ，３１ｂは、図示しないイグナイタをコントロールユニットＣで通電制御することにより火花放電し、熱電対１７ａ，１７ｂ，３３ａ，３３ｂは、加熱温度に応じて熱起電力を出力値としてコントロールユニットＣに出力する。また、本体ケースの前面には、コンロバーナ１２ａ，１２ｂ及びグリルバーナ２２ａ，２２ｂの点消火スイッチ５０ａ，５０ｂ，５１が設けられている。これらの点消火スイッチ５０ａ，５０ｂ，５１は、押操作と回転操作とが可能な操作子である。点消火スイッチ５０ａ，５０ｂ，５１の押操作によって対応するコンロバーナ１２ａ，１２ｂ及びグリルバーナ２２ａ，２２ｂが点火または消火され、点消火スイッチ５０ａ，５０ｂ，５１の回転操作によって流量調節弁４２ａ，４２ｂ，４４ａ，４４ｂの開度が調節され、それによって燃料ガスの供給量が調節されて、対応するコンロバーナ１２ａ，１２ｂ及びグリルバーナ２２ａ，２２ｂの加熱量が調節される。
【００２５】
また、コンロ本体内には、振動を検出する加速度センサ６０（振動検出手段）と、ガスコンロ１の所定の運転情報を表示する液晶表示部７０と、所定の音声情報を報知するスピーカ７１とが配設されている。加速度センサ６０は振動を検出すると、コントロールユニットＣに検出信号を出力する。
【００２６】
コントロールユニットＣは、図示しないＣＰＵ、ＲＯＭ、ＲＡＭ、タイマを備えたマイクロコンピュータからなり、メモリに保持された各種の制御プログラムを実行することにより、ガスコンロ１の運転を制御する機能を有する。また、コントロールユニットＣは、機能的構成手段として、バーナ１２ａ等の点消火を行う点消火制御部、元電磁弁４０及び開閉電磁弁４０ａ，４０ｂ，４１の開閉や流量調節弁４２ａ，４２ｂ，４４ａ，４４ｂの開度を調節する弁駆動部、点火操作が行われてから所定の着火判定時間が経過するまで熱電対１７ａ，１７ｂ，３３ａ，３３ｂからの出力値が着火検出用の所定の着火閾値未満である場合、バーナ１２ａ等の着火不良と判定し、着火検出後の所定の失火判定時間内に熱電対１７ａ，１７ｂ，３３ａ，３３ｂからの出力値が失火検出用の所定の失火閾値未満になると、バーナ１２ａ等の失火不良と判定する不良判定部、加速度センサ６０で第１閾値以上（例えば、震度４以上）の振動が検出されると、元電磁弁４０及び開閉電磁弁４０ａ，４０ｂ，４１の閉弁信号を出力する遮断制御部、加速度センサ６０で第２閾値以上（例えば、震度５以上）の振動が検出されると、メモリの高振動履歴を「有」に設定する高振動履歴有設定部、バーナ１２ａ等の着火が検出された後、失火判定時間を経過しても熱電対１７ａ，１７ｂ，３３ａ，３３ｂからの出力値が失火検出用の失火閾値以上である場合、メモリの高振動履歴を「無」に設定する高振動履歴無設定部、不良判定部で着火不良等が生じており、且つ高振動履歴が「有」に設定されている場合、所定の遮断確認情報を液晶表示部７０及びスピーカ７１から報知させる遮断判定部、不良判定部で着火不良等が生じているが、高振動履歴が「無」に設定されている場合、所定の不着火情報や失火情報を液晶表示部７０及びスピーカ７１から報知させる着火不良等報知部、第１閾値以上の震度が生じた場合、所定の地震情報を液晶表示部７０及びスピーカ７１から報知させる地震報知部、及び着火判定時間や失火判定時間を計時する計時部を備える。従って、本実施の形態では、元電磁弁４０及び開閉電磁弁４０ａ，４０ｂ，４１がバーナ１２ａ等への燃料ガスの供給を遮断する遮断手段として機能する。また、メモリには、第１及び第２閾値の各閾値、着火不良及び失火不良を判定する各閾値、着火判定時間及び失火判定時間の各判定時間などのデータテーブルが格納されている。
【００２７】
次に、図２〜図３を参照して、本実施の形態のガスコンロ１の制御動作を説明する。なお、ガスコンロ１は、第１及び第２閾値以上の振動が発生したかどうかを常時、監視しており、運転状態に関わらず加速度センサ６０で第２閾値以上の振動が検出された場合、高振動履歴が「有」に設定される。以下では、コンロバーナ１２ａで点火操作がされた場合の制御動作を例に挙げて説明するが、他のコンロバーナ１２ｂ及びグリルバーナ２２ａ，２２ｂの制御動作も同様である。
【００２８】
使用者が点消火スイッチ５０ａを押操作すると、点火処理が実行される。図示しないが、この点火処理では、元電磁弁４０及び開閉電磁弁４０ａが開弁されるとともに、流量調節弁４２ａが所定の点火開度に調節され、点火電極１６ａから火花放電を生じさせる（ステップＳ１〜ＳＴ２）。また、点火処理が開始されると、所定の着火判定時間ａ（例えば、１０秒間）を計時するための着火タイマｔａをスタートさせる（ステップＳＴ３）。
【００２９】
着火判定時間ａが経過する前に、熱電対１７ａからの出力値が所定の着火閾値（例えば、２．５ｍＶ）以上になりコンロバーナ１２ａの着火が検出されると、点火電極１６ａからの火花放電を停止させ、所定の失火判定時間ｂ（例えば、３０秒間）を計時するための失火タイマｔｂをスタートさせる（ステップＳＴ４〜ＳＴ５）。
【００３０】
点消火スイッチ５０ａを押操作する消火操作が行われることなく、失火判定時間ｂが経過する前に熱電対１７ａからの出力値が所定の失火閾値（例えば、４．０ｍＶ）未満になり失火が検出されると（ステップＳＴ６及びＳＴ７でＮｏ、ステップＳＴ９で、Ｙｅｓ）、元電磁弁４０及び開閉電磁弁４０ａを閉弁させる消火処理を行う（ステップＳＴ１０）。そして、この場合、コンロバーナ１２ａが着火した後、一定時間、燃焼が継続したにも関わらず、コンロバーナ１２ａが失火しているため、ガス供給管Ｌ２内に残留していた燃料ガスのみが燃焼していた可能性が高い。このため、高振動履歴が「有」に設定されているかどうかがさらに判定される（ステップＳＴ１１）。
【００３１】
このとき、高振動履歴が「有」に設定されている場合（ステップＳＴ１１で、Ｙｅｓ）、加速度センサ６０で第２閾値以上の振動が検出されており、マイコンメータ１００の遮断機能が作動している可能性が高いから、液晶表示部７０及びスピーカ７１から遮断確認情報を報知させる（例えば、液晶表示部７０から「ガスメータが遮断されていないかご確認ください」の文字情報の報知や、スピーカ７１から同様の音声情報の報知）（ステップＳＴ１２）。これにより、使用者にマイコンメータ１００の遮断機能が作動していることを認識させることができる。
【００３２】
一方、失火不良が生じているが、高振動履歴が「無」に設定されている場合（ステップＳＴ１１で、Ｎｏ）、振動とは別の要因によりコンロバーナ１２ａが失火した可能性が高い。このため、液晶表示部７０及びスピーカ７１から失火情報を報知させる（例えば、液晶表示部７０から「立ち消え安全装置が働きました」の文字情報の報知や、スピーカ７１から同様の音声情報の報知）（ステップＳＴ１３）。これにより、使用者にコンロバーナ１２ａの確認を喚起させることができる。
【００３３】
一方、失火判定時間ｂが経過しても、熱電対１７ａからの出力値が失火閾値以上であれば（ステップＳＴで７、Ｙｅｓ）、マイコンメータ１００の遮断機能は作動しておらず、正常にガス供給管Ｌ２から燃料ガスが供給されているから、高振動履歴を「無」に設定する（ステップＳＴ８）。これにより、次回の点火操作が行われたときに着火不良等が生じても、遮断確認情報が報知されるのを防止できる。
【００３４】
また、上記のようにして、第２閾値以上の振動が検出された後、最初の点火操作が行われて遮断確認情報を報知させたが、使用者がこれに気づかなかった場合、再度の点火操作が行われると、ガス供給管Ｌ２内に残留する燃料ガスは消費されているため、着火不良が生じる可能性が高い。このため、着火判定時間ａ内に着火が検出されない場合（ステップＳＴ４で、Ｎｏ、ステップＳＴ１４で、Ｙｅｓ）、消火処理を行い、さらに高振動履歴が「有」に設定されているかどうかを判定する（ステップＳＴ１５〜ＳＴ１６）。
【００３５】
前回の点火操作が行われたときに失火判定時間ｂ内に失火不良が生じている場合、高振動履歴は「有」の設定のままであるから（ステップＳＴ１６で、Ｙｅｓ）、再度、液晶表示部７０及びスピーカ７１から上記した遮断確認情報を報知させる（ステップＳＴ１７）。これにより、使用者が最初の遮断確認情報を認識していなかった場合でも、マイコンメータ１００の遮断機能が作動していることを確実に認識させることができる。
【００３６】
一方、着火判定時間ａ内に着火が検出されず、高振動履歴が「無」に設定されていれば、通常の着火不良の可能性が高いから、液晶表示部７０及びスピーカ７１から不着火情報を報知させる（例えば、液晶表示部７０から「火がついていません。もう一度点火してください」の文字情報の報知や、スピーカ７１から同様の音声情報の報知）（ステップＳＴ１６及びＳＴ１８）。
【００３７】
なお、コンロバーナ１２ａが正常に燃焼している状態で第１閾値以上の振動が検出されると、元電磁弁４０及び開閉電磁弁４０ａを閉弁させてコンロバーナ１２ａを消火させ、液晶表示部７０及びスピーカ７１から所定の地震情報を報知させる（例えば、液晶表示部７０から「強いゆれを検知し消火しました」の文字情報の報知や、スピーカ７１から同様の音声情報の報知）（ステップＳＴ１９〜ＳＴ２１）。これにより、使用者にコンロバーナ１２ａの消火の確認を喚起させることができる。また、マイコンメータ１００の遮断機能が作動しない程度の振動である場合（ステップＳＴ２２で、Ｎｏ）、次回の点火操作が行われたときに遮断確認情報は報知されないから、使用者の誤認を防止できる。
【００３８】
また、上記第２閾値以上の振動が検出されると、高振動履歴が「有」に設定される（ステップＳＴ２２〜ＳＴ２３）。なお、通常、地震が生じた直後に点火操作は行われないから、コンロバーナ１２ａの消火と同時に遮断確認情報を報知させる必要はない。
【００３９】
コンロバーナ１２ａが正常に点火され、燃焼中に第１閾値以上の振動が生じず、点消火スイッチ５０ａを押操作する消火操作が行われると（ステップＳＴ２４で、Ｙｅｓ）、消火処理が行われる（ステップＳＴ２５）。
【００４０】
以上詳細に説明したように、上記ガスコンロ１によれば、マイコンメータ１００で遮断機能が作動する前にガスコンロ１で燃料ガスの供給が遮断されると、マイコンメータ１００とガスコンロ１との間のガス供給管Ｌ２に燃料ガスが残留する。そのため、マイコンメータ１００の遮断機能が作動した状態では、残留する燃料ガスが消費される一定時間はバーナ１２ａ等が点火するものの、その後、失火する。従って、バーナ１２ａ等が着火してから失火判定時間が経過するまでのバーナ１２ａ等の失火の判定と、ガスコンロ１で第２閾値以上の振動が検出されていたかどうかの高振動履歴の有無の判定との両判定を行うことにより、マイコンメータ１００の遮断機能が作動した状態で、マイコンメータ１００とガスコンロ１との間のガス供給管Ｌ２に残留した燃料ガスの消費によって一定時間のみバーナ１２ａ等が燃焼したかどうかを判定することができる。これにより、マイコンメータ１００の遮断機能が作動していることを報知させるリモコン装置などの報知手段を別に設けたり、マイコンメータ１００とガスコンロ１とを接続したりすることなく、マイコンメータ１００の遮断機能が作動しているかどうかを適切に使用者に知らせることができる。
【００４１】
また、上記ガスコンロ１によれば、第２閾値以上の振動が検出されて高振動履歴が「有」に設定されていても、使用者が自発的にマイコンメータ１００の復帰操作を行った場合、ガス供給管Ｌ２の遮断による失火不良は生じないから、遮断確認情報は報知されない。従って、マイコンメータ１００の遮断機能が作動しているときだけ遮断確認情報を報知させることができる。
【００４２】
また、上記ガスコンロ１によれば、バーナ１２ａ等の点火時に着火不良が生じた場合でも、高振動履歴の有無を確認するから、再点火操作が行われるときにもマイコンメータ１００の遮断機能が作動しているかどうかを適切に使用者に知らせることができる。
【００４３】
また、上記ガスコンロ１によれば、遮断確認情報が報知された場合でも、失火判定時間を経過するまで点火状態が維持されなければ高振動履歴が「無」に設定されないから、使用者が最初の遮断確認情報に気づかず、再点火操作を行った場合でも、確実に遮断確認情報を報知させることができる。
【００４４】
（その他の実施の形態）
（１）上記実施の形態では、遮断確認情報が報知された場合でも、失火判定時間を経過するまで点火状態が維持されなければ高振動履歴が「無」に設定されないが、遮断確認情報が報知されれば、高振動履歴を「無」に設定してもよい。これによれば、使用者が自発的にマイコンメータ１００の遮断機能を解除させた後、通常の着火不良が生じた場合の誤った遮断確認情報の報知を防止できる。
（２）上記実施の形態では、失火判定時間は一定時間に固定されているが、ガス供給管Ｌ２内に残留した燃料ガスの消費時間はバーナ１２ａ等の点火数やバーナ１２ａ等の加熱量によって異なる。このため、点火操作が行われると、加熱調理器全体の燃料ガスの消費量に基づき、失火判定時間を変更してもよい。
（３）上記実施の形態では、高振動履歴が「有」に設定される第２閾値を、マイコンメータで遮断機能が作動する閾値と一致させているが、加熱調理器とマイコンメータとは設置場所が異なるから、加熱調理器の振動検出手段で、マイコンメータの遮断機能が作動したと想定される振動の閾値を第２閾値として設定することができる。
【符号の説明】
【００４５】
１                              ガスコンロ
１００                          マイコンメータ
１２ａ，１２ｂ                  コンロバーナ
２２，２２ｂ                    グリルバーナ
１６ａ，１６ｂ３３ａ，３３ｂ    熱電対
４０                            元電磁弁
６０                            加速度センサ
７０                            液晶表示部
７１                            スピーカ
Ｃ                              コントロールユニット
Ｌ２                            ガス供給管
【図１】
2019109027.tif 000003
【図２】
2019109027.tif 000004
【図３】
2019109027.tif 000005